(57)【要約】      （修正有）【課題】送風により膨らむバルーン型照明装置において、バルーンの立設安定性を向上させたバルーン型照明装置を提供する。【解決手段】バルーン型照明装置１は、筐体１１と、筐体１１に配置されるバルーン５１と、バルーン５１内面を照明する照明部と、バルーン５１内部に送風を行う送風部と、バルーン５１の表面に沿って位置する支持部２と、送風部によりバルーン５１が膨らんだ状態において、バルーン５１と支持部２とを固定する固定部５３を備える。【選択図】図１１
0003229451.tif 000002
【実用新案登録請求の範囲】
【請求項１】
筐体と、
前記筐体に配置されるバルーンと、
前記バルーン内面を照明する照明部と、
前記バルーン内部に送風を行う送風部と、
前記バルーンの表面に沿って位置する支持部と、
前記送風部により前記バルーンが膨らんだ状態において、前記バルーンと前記支持部とを固定する固定部を備える
バルーン型照明装置。
【請求項２】
前記支持部は、伸縮可能である
請求項１に記載のバルーン型照明装置。
【請求項３】
前記固定部は、前記支持部の上部位置と前記バルーンを固定する
請求項１に記載のバルーン型照明装置。
【請求項４】
前記支持部の下方位置には、前記筐体を移動可能とする車輪が設けられている
請求項１に記載のバルーン型照明装置。
【請求項５】
前記筐体は、脚部を有し、
前記筐体の前記脚部を使用して接地した場合、前記車輪は接地しない
請求項４に記載のバルーン型照明装置。
【請求項６】
前記筐体に固定された可撓性部材を備え、
前記バルーンの下端は、前記可撓性部材と第１の固定手段を使用して接続され、
前記可撓性部材において、前記バルーンの内側に位置する部分と、前記バルーンの内面は、面で接合する第２の固定手段を使用して接続される
請求項１に記載のバルーン型照明装置。
【考案の詳細な説明】
【技術分野】
【０００１】
本考案は、道路工事、建設工事、各種イベント等において周囲の照明を行う照明装置であって、特に、照明部によって内部が照明され、送風部によって膨張されるバルーン型照明装置に関する。
【背景技術】
【０００２】
道路工事、建設工事、各種イベントにおいて周囲を照明する投光器は、照明範囲を広範囲とする場合、広範囲を適切な明るさで照明することが好ましい。現在、投光器には各種事情を考慮した様々なタイプがある。特許文献１には、バルーンと、バルーンを膨らませる送風機と光源とを備え、光源からバルーンを介して外部に出射される光で周囲を照明するバルーン型照明装置が記載されている。このような、バルーン型照明装置は、スポットライト型の投光器とは異なり、周囲を均一に照明する点において有利である。
【先行技術文献】
【特許文献】
【０００３】
【特許文献１】特開２０１５−１９１６９０号公報
【考案の概要】
【考案が解決しようとする課題】
【０００４】
特許文献１で使用されるバルーンは、支柱の上端に設けられた樽形形状を有している。バルーンには、このような形状のみならず、各種形状を採用することが可能である。例えば、柱形状のバルーンとすることで、地面付近を照明することも可能である。ところで、バルーン型照明装置は、屋外で使用される機会が多く、風雨に耐え得ることが必要となる。前述した柱形状のバルーンを使用した場合、強い風が吹くと、倒れてしまうことが考えられる。本発明の目的の１つは、バルーンを安定して立設させることである。
【０００５】
また、バルーン型照明装置では、バルーン内部に照明部等、電気的な構成を配置する必要がある。そのため、バルーン内部に雨が侵入することはできるだけ避けたい。バルーン内部の電気的な構成に防水機能を持たせることも可能であるが、製造コストが増えることが懸念される。本発明の目的の１つは、バルーン内に雨等が侵入することを抑制することである。
【課題を解決するための手段】
【０００６】
本考案に係るバルーン型照明装置は、このような課題を解決することを一つの目的としている。そのため、第１−１の構成に係るバルーン型照明装置は、以下の構成を採用するものである。
筐体と、
前記筐体に配置されるバルーンと、
前記バルーン内面を照明する照明部と、
前記バルーン内部に送風を行う送風部と、
前記バルーンの表面に沿って位置する支持部と、
前記送風部により前記バルーンが膨らんだ状態において、前記バルーンと前記支持部とを固定する固定部を備える。
【０００７】
さらに、第１−２の構成に係るバルーン型照明装置は、第１−１の構成に係るバルーン型照明装置において、
前記支持部は、伸縮可能である。
【０００８】
さらに、第１−３の構成に係るバルーン型照明装置は、第１−１の構成に係るバルーン型照明装置において、
前記固定部は、前記支持部の上部位置と前記バルーンを固定する。
【０００９】
さらに、第１−４の構成に係るバルーン型照明装置は、第１−１の構成に係るバルーン型照明装置において、
前記支持部の下方位置には、前記筐体を移動可能とする車輪が設けられている。
【００１０】
さらに、第１−５の構成に係るバルーン型照明装置は、第１−１の構成に係るバルーン型照明装置において、
前記筐体は、脚部を有し、
前記筐体の前記脚部を使用して接地した場合、前記車輪は接地しない。
【００１１】
さらに、第１−６の構成に係るバルーン型照明装置は、第１−１の構成に係るバルーン型照明装置において、
前記筐体に固定された可撓性部材を備え、
前記バルーンの下端は、前記可撓性部材と第１の固定手段を使用して接続され、
前記可撓性部材において、前記バルーンの内側に位置する部分と、前記バルーンの内面は、面で接合する第２の固定手段を使用して接続される。
【００１２】
また、第２の構成に係るバルーン型照明装置は、
筐体と、
前記筐体に配置されるバルーンと、
前記筐体に固定された可撓性部材を備え、
前記バルーンの下端は、前記可撓性部材と第１の固定手段を使用して接続され、
前記可撓性部材において、前記バルーンの内側に位置する部分と、前記バルーンの内面は、面で接合する第２の固定手段を使用して接続される。
【００１３】
また、第３の構成に係るバルーン型照明装置は、
筐体と、
前記筐体に配置されるバルーンと、
前記筐体内部に配置され、前記バルーン内面を照明する照明部と、
前記筐体内部に配置され、前記筐体外部から空気を取り込み、前記バルーン内部に送風を行う送風部を備える。
【図面の簡単な説明】
【００１４】
【図１】本実施形態に係るバルーン型照明装置の側面図、正面図（収納時）
【図２】本実施形態に係るバルーン型照明装置の斜視図（収納時）
【図３】本実施形態に係るバルーン型照明装置の側面図、正面図（運搬時）
【図４】本実施形態に係るバルーン型照明装置の斜視図（運搬時）
【図５】本実施形態に係るバルーン型照明装置の側面図（運搬時）
【図６】本実施形態に係るバルーン型照明装置の構成を示す図
【図７】本実施形態に係るバルーン型照明装置の収納構成を示す図
【図８】本実施形態に係るバルーンの装着を説明するための図
【図９】本実施形態に係るバルーンの装着を説明するための図
【図１０】本実施形態に係るバルーン型照明装置の側面図、正面図（使用時）
【図１１】本実施形態に係るバルーン型照明装置の斜視図（使用時）
【図１２】他の実施形態に係るバルーン型照明装置の斜視図（使用時）
【図１３】他の実施形態に係るバルーン型照明装置の斜視図（使用時）
【図１４】他の実施形態に係るバルーン型照明装置の斜視図（使用時）
【図１５】他の実施形態に係るバルーン型照明装置の斜視図（収納時）
【図１６】他の実施形態に係るバルーン型照明装置のストッパー動作の様子
【図１７】他の実施形態に係るバルーン型照明装置の脚部断面図
【図１８】他の実施形態に係るバルーンの装着を説明するための図
【考案を実施するための形態】
【００１５】
本実施形態に係るバルーン型照明装置１は、工事現場や各種催し物が開かれる会場等で使用されるものであり、夜間等における暗闇を照明するものである。このようなバルーン型照明装置１は、使用しない場合は適宜場所に収納しておき、使用時には工事現場や会場等、照明場所に運搬して使用する必要がある。そのため、本実施形態に係るバルーン型照明装置１は、収納性、並びに運搬性に優れたものとなっている。
【００１６】
図１は、本実施形態に係るバルーン型照明装置１の構成（収納時）を示す図であり、図１（Ａ）は、バルーン型照明装置１の側面図、図１（Ｂ）は、バルーン型照明装置１の正面図である。また、図２は、本実施形態に係るバルーン型照明装置１の斜視図（収納時）である。
【００１７】
本実施形態に係るバルーン型照明装置１は、図１（Ａ）、図１（Ｂ）、図２に示されるように収納時において、小型の略立方体形状であって、収納性に優れた形態となっている。バルーン型照明装置１は、筐体１１、脚部１２ａ、１２ｂ、車輪１３、支持部２、上カバー１９を有して構成されている。
【００１８】
筐体１１は、電気的な各種構成を収容する部分であって、本実施形態では金属製となっている。筐体１１の下部には車軸固定部１１ｃが設けられており、車軸固定部１１ｃは車軸１５を回転可能に固定する。車軸１５の両端には車輪１３が設けられている。また、車軸固定部１１ｃの下端には脚部１２ｂには脚部１２ｂが設けられている。
【００１９】
脚部１２ａ、１２ｂは、バルーン型照明装置１を地面に対して水平に設置した際、全ての脚部１２ａ、１２ｂが地面に接地するように構成されている。また、バルーン型照明装置１を地面に対して水平に設置した際、車輪１３は、接地しない、すなわち、地面と車輪１３との間に間隔を有するように設けられている。このように、収納時、あるいは、使用時（照明時）には、バルーン型照明装置１は、脚部１２ａ、１２ｂで地面と接地し、車輪１３が地面と接地しないことで、安定性が保たれている。特に、バルーンを展開した使用時（照明時）において、強風等によりバルーンに力が加わった場合においても、脚部１２ａ、１２ｂでしっかりと自立し、不用意に移動することを抑制することが可能となっている。
【００２０】
図１（Ｂ）に示されるように筐体１１の正面には、筐体１１外部と内部を連通する吸気部１１ａが設けられている。吸気部１１ａから外気を取り入れることで、バルーン内に空気が送られる。また、筐体１１の正面には把持部１１ｂが設けられている。筐体１１の裏面（図示せず）にも把持部が設けられており、正面の把持部１１ｂと裏面の把持部を掴むことで、筐体１１を持ち上げる際などの取り扱いを容易にしている。また、筐体１１の正面には、電源ケーブル接続コネクタ１６が設けられている。図１（Ａ）、図１（Ｂ）、図２には、電源ケーブル接続コネクタ１６に、電源ケーブル５２の電源ケーブルコネクタ５２ａが接続された状態となっている。
【００２１】
図１（Ａ）、図２に示されるように、筐体１１の側面には、充電コネクタ１７、表示部１８が設けられている。充電コネクタ１７は、バルーン型照明装置１が搭載するバッテリーに充電する際に使用されるコネクタである。この充電コネクタ１７にＡＣアダプタを接続することで、バッテリーの充電を行うことが可能である。表示部１８は、液晶表示装置等、各種形態の表示装置が用いられ、バッテリーの充電率等、バルーン型照明装置１の各種状態を表示することが可能である。このように、本実施形態のバルーン型照明装置１は、電源ケーブル５２を使用した電源供給、あるいは、筐体１１内のバッテリーによる電源供給という２通りの電源供給を使用することが可能となっている。
【００２２】
筐体１１の上部は、上カバー１９で覆われている。上カバー１９は、布、ビニール等、可撓性、を有する素材で形成されている。上カバー１９で筐体１１を覆うことで、収納時、あるいは、運搬時における筐体１１の上部を保護することが可能となっている。また、本実施形態で使用するバルーンは、筐体１１と上カバー１９の間に形成される収容空間に収容される。また、上カバー１９の上部にはポケット１９ａが形成されている。本実施形態では、このポケット１９ａ内に電源ケーブル５２を収納することが可能となっている。
【００２３】
バルーン型照明装置１の使用時（照明時）には、上カバー１９を外して、収容空間に収容されるバルーンが取り出される。その際、外された上カバー１９は、固定バンド１１ｅを使用して、筐体１１の正面上部に纏めて固定される。
【００２４】
バルーン型照明装置１の正面には、支持部２が設けられている。本実施形態の支持部２は、２つの伸縮部２２とその先端に設けられたハンドル２１を有して構成されている。運搬時には、この支持部２を伸ばし、車輪１３を使用することで、バルーン型照明装置１を容易に運搬することが可能となっている。また、使用時には、伸ばした支持部２によって、膨らんだバルーンを支え、バルーンを安定して保持することが可能となっている。
【００２５】
図３は、本実施形態に係るバルーン型照明装置１の構成（運搬時）を示す図であり、図３（Ａ）は、バルーン型照明装置１の側面図、図３（Ｂ）は、バルーン型照明装置１の正面図である。また、図４は、本実施形態に係るバルーン型照明装置１の斜視図（運搬時）である。
【００２６】
図３、図４に示される様態は、バルーン型照明装置１に設けられた支持部２を伸張させたときの状態である。支持部２は、２つの伸縮部２２と、伸縮部２２の先端に設けられたハンドル２１を有して構成されている。本実施形態の伸縮部２２は、筐体１１に固定された第１支柱２２ａと、第１支柱２２ａ内に収容された第２支柱２２ｂ、第３支柱２２ｃ、第４支柱２２ｄ、第５支柱２２ｅを有して構成されている。このうち、最も上部に位置する第５支柱２２ｅが、ハンドル２１に固定されている。
【００２７】
ハンドル２１には操作部２１ａが設けられている。操作部２１ａを押下することで、伸縮部２２の伸張、あるいは、退縮のロック解除が行われる。すなわち、伸縮部２２を伸ばす場合、操作部２１ａを押下した状態で、支持部２を伸ばす方向に力を加えることで、伸縮部２２を伸張させた状態（図３、図４の状態）に変更する。一方、伸縮部２２を縮める場合、操作部２１ａを押下した状態で、支持部２を縮める方向に力を加えることで、伸縮部２２を退縮させた状態（図１、図２の状態）に変更する。
【００２８】
このように、本実施形態のバルーン型照明装置１は、収納時には、支持部２を縮めた状態としてコンパクトな形態とし、運搬時、あるいは、使用時（照明時）において、支持部２を伸張させた状態とすることが可能となっている。
【００２９】
図５は、本実施形態に係るバルーン型照明装置１の側面図（運搬時）である。運搬時、バルーン型照明装置１を傾けることで、車輪１３を接地させ、支持部２の先端であるハンドル２１を握ることで、車輪１３によるスムースな異動を行うことが可能となっている。特に、本実施形態のバルーン型照明装置１は、十分な容量のバッテリーを内蔵しているため、その重量も２０ｋｇ以上となる。したがって、このような車輪１３を使用した移動は、それを扱う者にとって負担軽減となることが期待できる。
【００３０】
図６は、本実施形態に係るバルーン型照明装置１の構成を示す図である。図６（Ａ）は、筐体１１の上面図であり、図６（Ｂ）は筐体１１内部の構成を示す図である。筐体１１の上面には、照明を行う照明部３１が設けられている。本実施形態の照明部３１は、複数個のＬＥＤ素子３１ａによって構成されている。なお、照明部３１は、このような形態のみならず、１個のＬＥＤ素子で構成する、あるいは、メタルハライドランプで構成する等、各種形態を採用することが可能である。
【００３１】
また、筐体１１の上部には、電源スイッチ３２、切り替えスイッチ３３、オプションコネクタ３４、排気部１１ｄが設けられている。電源スイッチ３２を操作することで、バルーン型照明装置１の電源オン、オフを切り替えることが可能である。電源オンした場合、照明部３１の発光、及び、バルーン内への送風が開始される。切り替えスイッチ３３は、バルーン型照明装置１の各種状態を切り替える際に使用される。本実施形態では、切り替えスイッチ３３を操作することで、照明部３１を常時点灯状態から、間欠点灯状態へと切り替えることが可能である。この他、切り替えスイッチ３３を操作することで、照明部３１の色を切り替える、あるいは、送風状態（送風の強さ等）を切り替えることとしてもよい。なお、電源スイッチ３２、切り替えスイッチ３３、オプションコネクタ３４は、筐体１１の側面等、上部以外の場所に設けることとしてもよい。上部以外の場所に設けた場合、使用時（バルーン膨張時）には、外部に面するため、電源スイッチ３２、切り替えスイッチ３３、オプションコネクタ３４には防水機能を持たせることが好ましい。
【００３２】
オプションコネクタ３４は、電気的に作動する各種オプションを接続するための端子である。例えば、バルーン内部に配置して装飾度合いを高めるための照明、あるいは、電気的に動作するモータ等のオプションをこのオプションコネクタ３４に接続することで、別途オプション用の電源を用意することなく、バルーン型照明装置１の装飾度合い、あるいは、視覚的効果等を高めることが可能となっている。
【００３３】
図６（Ｂ）に示されるように、筐体１１内部には、バルーン型照明装置１の制御を行う制御部３５、バッテリー３６、送風部３７が設けられている。制御部３５等、バルーン型照明装置１に対する給電は、電源ケーブル接続コネクタ１６、あるいは、内部のバッテリー３６から取得することが可能となっている。また、バッテリー３６は、筐体１１の側面に設けられた充電コネクタ１７に接続されている。充電コネクタ１７にＡＣアダプタを接続することでバッテリー３６への充電を行うことが可能である。
【００３４】
制御部３５には、送風部３７、照明部３１が接続されている。電源スイッチ３２を操作した場合、照明部３１の発光、並びに、送風部３７におけるファンの回転が開始する。送風部３７は、筐体１１の側面に設けられた吸気部１１ａから外気を給気し、筐体１１の上面に設けられた排気部１１ｄから空気を排出し、筐体１１の上面に配置されたバルーンを膨らませる。送風部３７は、筐体１１に設けられた吸気部１１ａから外気を取り込み、筐体１１の内部を通過して排気部１１ｄから、バルーン５１内部に送風を行う。その結果、照明部３１で発生した熱を、送風部３７による送風によって効果的に冷却することが可能となっている。より、効果的に冷却を行うためには、例えば、照明部３１の背面（筐体１１の内部側）に設けられたヒートシンク（図示せず）に、送風部３７による送風が当たるようにしておくことが好ましい。
【００３５】
図７は、本実施形態に係るバルーン型照明装置１の収納構成を示す図である。図７は、図１、図２の収納時の状態に相当している。図１、図２で説明したように、バルーン型照明装置１の収納時、筐体１１の上部は、上カバー１９で覆われた状態となっている。上カバー１９には、４辺中、３辺が固定されたポケット１９ａが設けられている。このポケット１９ａには、電源ケーブル５２をｓ収納することが可能である。電源ケーブル５２の一端には、商用電源に接続するためのコンセント５２ｂが設けられている。また、電源ケーブル５２の他端には、電源ケーブルコネクタ５２ａが設けられている。電源ケーブルコネクタ５２ａは、筐体１１の側面に設けられた電源ケーブル接続コネクタ１６に接続される。なお、電源ケーブルコネクタ５２ａと電源ケーブル接続コネクタ１６は脱着可能である。
【００３６】
筐体１１の上面周囲には、筐体１１の全周を取り囲むように内カバー４１が設けられている。内カバー４１は、上カバー１９と同様、布、ビニール等可撓性を有する素材で形成されている。内カバー４１は、筐体１１とネジ等の固定部４２によって複数箇所が固定されている。バルーン５１は、内カバー４１と上カバー１９の間に形成された収容空間１９ｂに収容される。また、上カバー１９の下端、複数箇所には面ファスナー１９ｃが設けられている。この面ファスナー１９ｃは、筐体１１の側面に設けられた面ファスナー１９ｄと脱着可能となっている。面ファスナー１９ｃ、１９ｄを貼り合わせておくことで、上カバー１９が不用意に外れることを抑制している。
【００３７】
図８は本実施形態に係るバルーン５１の装着を説明するための図である。なお、図８、図９では、バルーン５１と内カバー４１の接続の状態を説明するため、バルーン５１の上部は省略（破線）で示している。バルーン型照明装置１を使用する際、図７で説明した内カバー４１にバルーン５１を取り付けて使用することになる。図８（Ａ）に示されるように、本実施形態のバルーン５１は、その下端の全周に線ファスナー５１ａが設けられている。一方、内カバー４１側にもその外周に線ファスナー４１ａが設けられている。バルーン５１側の線ファスナー５１ａと、内カバー４１の線ファスナー４１ａとを接続することで、バルーン５１の下端が接続される。
【００３８】
図８（Ｂ）は、線ファスナー４１ａと線ファスナー５１ａを接続した状態である。なお、バルーン型照明装置１の使用開始時（照明開始時）には、線ファスナー４１ａと線ファスナー５１ａを接続する前に、電源スイッチ３２を操作して電源オン状態にしておく必要がある。バルーン型照明装置１の使用時には、電源スイッチ３２、切り替えスイッチ３３、オプションコネクタ３４等は、バルーン５１内に位置するため、雨等による水の浸入を抑制することが可能となっている。
【００３９】
また、本実施形態では、バルーン５１の内側の適宜箇所（全周あるいは複数箇所）に面ファスナー５１ｂが設けられ、それに対応する内カバー４１の外側の適宜箇所に面ファスナー５１ｂが設けられている。この面ファスナー５１ｂ、面ファスナー４１ｂを互いに係合させることで、バルーン５１内への水の浸入を更に抑制することが可能となっている。図８（Ｂ）のように線ファスナー４１ａと線ファスナー５１ａを接続した状態では、面ファスナー５１ｂと面ファスナー４１ｂは必ずしも互いに固定された状態となっていない。
【００４０】
しかしながら、バルーン５１内に送風が行われることで、図９に示す状態となる。すなわち、筐体１１の上面に設けられた排気部１１ｄからバルーン５１内への送風により、バルーン５１は膨らんだ状態となる。したがって、よって、対応する位置に設けられた面ファスナー４１ｂと面ファスナー５１ｂは、適切な位置、すなわち、互いに向き合った位置になるとともに、矢印で示す内圧によって互いに押しつけられ、強固に固定される。このように本実施形態では、線ファスナー４１ａと線ファスナー５１ａによる固定に加え、それらの内側に位置する面ファスナー５１ｂと線ファスナー５１ａによって固定されるため、バルーン５１内部への水の浸入を効果的に抑制することが可能となっている。また、面ファスナー４１ｂと面ファスナー５１ｂの位置合わせは、バルーン５１の膨張によって自動的に行われる。
【００４１】
以上、本実施形態では、内カバー４１（「可撓性部材」に相当）と、バルーン５１を固定するにあたり、線ファスナー４１ａ、５１ａによる固定、及び、面ファスナー４１ｂ、５１ｂによる固定を行うことで、両者をしっかりと固定し、バルーン５１内部への雨水等の侵入を抑制することが可能となっている。なお、本実施形態で使用した線ファスナー４１ａ、５１ａによる固定は、各種固定手段（「第１の固定手段」に相当）で固定することが可能である。また、面ファスナー４１ａ、５１ａによる固定も、面で接合する形態の各種固定手段（「第２の固定手段」に相当）で固定することが可能である。
【００４２】
図１０は、本実施形態に係るバルーン型照明装置１の構成（使用時）を示す図であり、図１０（Ａ）は、バルーン型照明装置１の側面図、図１０（Ｂ）は、バルーン型照明装置１の正面図である。また、図１１は、本実施形態に係るバルーン型照明装置１の斜視図（使用時）である。図１０、図１１に示されるように、バルーン５１と内カバー４１は、線ファスナー５１ａ、線ファスナー４１ａを使用して接続されている。なお、図示しないが、図９で説明したように、バルーン５１の内側は、面ファスナー５１ｂと面ファスナー４１ｂで接続されている。
【００４３】
また、本実施形態では、筐体１１の側面から立設する支持部２を使用して膨張したバルーン５１を支えることとしている。図１０、図１１に示されるように、本実施形態のバルーン５１の表面は、筐体１１の上面周囲から略垂直な方向に立設している。また、支持部２も筐体１１の側面から略垂直な方向に立設している。したがって、支持部２は、膨張したバルーン５１の表面に沿って位置している。このような位置関係を利用して、膨張したバルーン５１を支持部２で支えることとしている。
【００４４】
また、本実施形態では、バルーン５１の側面に布、あるいはビニール等、可撓性を有する素材で形成された２つの固定部５３が設けられている。各固定部５３は、支持部２のハンドル２１が位置する箇所に設けられている。固定部５３の上端は、バルーン５１に縫製によって固定されている。また、固定部５３の下端には面ファスナーが設けられている。固定部５３とバルーン５１の間にハンドル２１を挟んだ状態で、固定部５３側の面ファスナーを、バルーン５１側に設けられた面ファスナーに貼り合わせることで、バルーン５１を支持部２に固定することが可能となる。
【００４５】
本実施形態では、特に、支持部２の上部位置（ハンドル２１部分）を、バルーン５１と固定したことで、バルーン５１の安定性を高めている。バルーン５１は屋外で使用されることが多く、風により安定して立設しない場合がある。本実施形態では、支持部２を使用してバルーン５１を支えることで、風が吹いても安定してバルーン５１を立設させることが可能となっている。
【００４６】
バルーン５１を適切に立設させるには、送風部３７の送風強度を高め、バルーン５１の内圧を高め、バルーン５１を堅することも可能である。しかしながら、この場合、電力消費量が多くなり、バッテリー駆動では、使用時間が短くなることが考えられる。本実施形態では、支持部２を使用してバルーン５１を支えることで、バルーン５１の内圧が低い状態、すなわち、送風部３７による送風強度を強くしない状態でも、バルーン５１を適切に立設させることが可能となっている。
【００４７】
また、バルーン５１表面の適宜箇所には、面ファスナー５１ｄが設けられている。この面ファスナー５１ｄには、「工事中」等の各種メッセージ、あるいは、絵やアイコン等が印刷されたシート部材を取り付けることが可能である。シート部材に設けられた面ファスナーと、バルーン５１側の面ファスナー５１ｄを貼り合わせることで、メッセージ、絵、アイコンなどを自由に変更することが可能である。照明部３１により内部から照明されたバルーン５１は、シート部材に印刷されたメッセージ等を、周囲に効果的に伝えることが可能となっている。
【００４８】
以上、本実施形態のバルーン型照明装置１について説明したが、本実施形態のバルーン型照明装置１は、膨張したバルーン５１の側面に沿って位置する支持部２により、バルーン５１を安定して立設させることが可能となっている。特に、支持部２とバルーン５１を固定する固定部５３を設けたことで、バルーン５１を安定して立設させることが可能である。特に、支持部２の先端を固定部５３で固定することで、より安定してバルーン５１を立設させることが可能となっている。また、本実施形態では、支持部２の先端をハンドル２１とすることで、支持部２をバルーン型照明装置１の運搬に使用することが可能となっている。
【００４９】
なお、バルーン型照明装置１は、上述した実施形態以外に各種変形例を採用することが可能である。以下に、バルーン型照明装置１が採用可能な変形例を説明する。
【００５０】
（変形例１）
図１０、図１１で説明した実施形態において、固定部５３は各種形態を採用することができる。図１０、図１１では、固定部５３は、可撓性を有する素材で形成しているが、プラスチック、金属等、バルーン５１と支持部２を固定できるのであれば、各種素材を採用することができる。また、図１０、図１１では、固定部５３は、バルーン５１側に設けられているが、支持部２側に設けた形態、あるいは、バルーン５１、支持部２とは独立した形態であってもよい。また、固定部５３を設ける箇所は、支持部２の先端（ハンドル２１部分）のみならず、支持部２の適宜位置に設けることとしてもよい。また、固定部５３の個数は、１個以上であれば、適宜個数を設けることとしてもよい。
【００５１】
（変形例２）
図１０、図１１で説明した実施形態において、支持部２は、２本の伸縮部２２と、その上端に設けられたハンドル２１という構成を採用している。支持部２の構成は、このような形態のみならず、各種形態を採用することが可能である。例えば、伸縮部２２は、１本であってもよい。また、支持部２は、複数箇所に設けることとしてもよい。支持部２を複数箇所（例えば、筐体１１のその他の面）に設けることで、より安定してバルーン５１を立設させることが可能となる。
【００５２】
（変形例３）
図１０、図１１で説明した実施形態において、バルーン５１の表面、及び、支持部２は、筐体１１の側面から略垂直に立設しており、支持部２は、バルーン５１の表面に沿って位置している。支持部２は、バルーン５１の表面に沿う形態であれば、必ずしも筐体１１から垂直に立設する形態である必要は無い。例えば、バルーン５１の表面が傾斜している場合、それに沿って、支持部２も傾斜していることが好ましい。また、前述の実施形態では、使用するバルーン５１を取り替えることも可能である。支持部２の角度（筐体１１に対する支持部２の立設角度）も変更可能であってもよい。使用するバルーン５１に応じて、支持部２の角度を変更し、安定してバルーン５１を支持することが可能となる。
【００５３】
（変形例４）
図１０、図１１で説明した実施形態において、支持部２は、縮めた状態（収納時）、あるいは、伸ばした状態（運搬時、使用時（照明時））の２形態に変更することが可能であった。このような形態に代え、支持部２は、３つの形態以上にその長さを変更することとしてもよい。例えば、第１の長さに縮めた第１の状態（収納時）の他、第２の長さに伸ばした第２の状態（運搬時）、さらに、第３の長さに伸ばした第３の状態（使用時（照明時））とすることとしてもよい。例えば、第３の状態を第２の状態よりも長い状態とすることで、より高い位置でバルーン５１を支え、より安定した状態とすることが可能となる。また、使用するバルーン５１を変更する場合、使用するバルーン５１の高さに応じて、支持部２の長さを変更することも可能となる。
【００５４】
図１２は、他の実施形態に係るバルーン型照明装置１の斜視図（使用時）である。図１２の例における支持部２は、図１０、図１１で説明した支持部２よりも長くなっている。そのため、第１支持部２２ａの高さは、筐体１１の高さよりも高くなっており、支持部２の収納時、支持部２は、筐体１１よりも突出した形態となる。このように支持部２の長さが長い場合、図１２に示されるように支持部２を伸長させた使用時の形態では、バルーン５１の上部位置で固定することが可能である。固定部５３は、支持部２を伸長させたときにハンドル２１が位置する箇所に設けられる。このように、支持部２を長くすることで、バルーン５１の高い位置で、バルーン５１と支持部２を固定することが可能となり、安定した状態でバルーン５１を支えることが可能となる。
【００５５】
図１２のように支持部２を長くした場合、バルーン型照明装置１を移動するときにも有利となる。図５で説明した実施形態において、バルーン型照明装置１を移動させる場合、操作部２１ａを握って、傾けることで車輪１３を接地させ容易に移動できる。図１２のように支持部２を長くすることで、図５に示す支持部２と地面が形成する角度α（図５に掲載）を小さくすることが可能となる。したがって、脚部１２ｂと地面の間の距離を大きくとることが可能となり、脚部１２ｂが地面の凹凸に引っかかることを抑制することが可能となり、車輪１３を使用した移動をよりスムースに行うことが可能となる。
【００５６】
（変形例５）
図１３は、他の実施形態に係るバルーン型照明装置１の斜視図（使用時）である。バルーン型照明装置１は、風等の影響で容易に移動しないことが必要である。図１等で説明した実施形態では、４つの脚部１２ａ、１２ｂが地面に接地し、車輪１３は移動時のみ接地する形態で容易に移動しない構成としていた。変形例５は、異なる手法を使用して容易に移動しないようにしている。変形例５では、図１で説明した脚部１２ｂは設けられておらず、脚部１２ａと車輪１３が接地した状態となっている。また、筐体１１には、ワイヤー固定部１１ｆが設けられている。このワイヤー固定部１１ｆにワイヤー５５の一端を固定し、ワイヤー５５の他端を地面に打たれたアンカー５６ａ（対地面固定部）と固定することで、筐体１１が容易に移動しないようにしている。図１３の例では、筐体１１の２か所にワイヤー固定部１１ｆが設けられ、各ワイヤー固定部１１ｆに２本のワイヤー５５が固定されている。なお、ワイヤー固定部１１ｆの個数、ワイヤー５５の本数は適宜に決めることが可能である。なお、ワイヤー固定部１１ｆは、バルーン型照明装置１を持ち運ぶ際の持ち手として使用することも可能である。
【００５７】
（変形例６）
図１４は、他の実施形態に係るバルーン型照明装置１の斜視図（使用時）である。屋外で使用されることが多いバルーン型照明装置１は、筐体１１自体が移動してしまうという課題のほか、風の影響でバルーン５１が傾いてしまう、あるいは、さらなる強風によりバルーン５１が大きく傾き、バルーン型照明装置１が転倒してしまうという課題が考えられる。変形例６は、バルーン５１の傾きを抑制することを目的としたものである。そのため、変形例６では、バルーン５１にワイヤー固定部５４が設けられている。このワイヤー固定部５４（対地面固定部）にワイヤー５５の一端を固定し、ワイヤー５５の他端を、地面に設置した重り５６ｂと固定することで、バルーン５１の傾きを抑制することが可能となる。ワイヤー固定部５４は、バルーン５１の適宜箇所に設けることで傾きを抑制することが可能となるが、特に、図１４に示されるように、バルーン５１の上端（好ましくは、膨らんだ状態のバルーン５１の高さの１／２以上の位置）に設けることで、風による傾きを効果的に抑制することが可能である。
【００５８】
変形例６において、対地面固定部としての重り５６ｂは、変形例５で使用したアンカー５６ａに代える、あるいは、変形例５において、アンカー５６ａの代わりに重り５６ｂを使用してもよい。あるいは、変形例５と変形例６を両方備える形態としてもよい。その際、変形例５のワイヤー５５を固定する対地面固定部と、変形例６のワイヤーを固定する対地面固定部は兼用することも可能である。
【００５９】
（変形例７）
図１５は、他の実施形態に係るバルーン型照明装置１の斜視図（使用時）である。図１等で説明した実施形態では、４つの脚部１２ａ、１２ｂが地面に接地し、車輪１３は移動時のみ接地する形態で容易に移動しない構成としていた。変形例７は、脚部１２ｂは設けられておらず、車輪１３が接地した状態となっている。また、筐体１１には、車輪１３を固定するためのストッパー２３が設けられている。バルーン型照明装置１の使用時には、ストッパー２３を使用して車輪１３を固定することが可能である。
【００６０】
図１６は、ストッパー２３の動作の様子を説明するための図である。図１６（Ａ）は、車輪１３の解放時、すなわち、バルーン型照明装置１を移動可能とさせる際の模式図であり、図１６（Ｂ）は、車輪１３の固定時、すなわち、バルーン型照明装置１を使用する際の模式図である。ストッパー２３は、強固な金属製であって、図１５に示されるように上部に折れ曲がった操作片を有する。また、図１６（Ａ）に示されるように、ストッパー２３は、筐体１１に対して回転軸２３ａで回転可能に固定されており、嵌合溝２３ｂが形成されている。また、車輪１３の内側には、ボルト等で構成された固定用突起１３ａが設けられている。固定時には、固定用突起１３ａを、嵌合溝２３ｂの近傍に位置するように車輪１３を回転させ、ストッパー２３の上部に位置する操作片を足で踏むなどして、回転軸２３ａを中心に回転させる、図１６（Ｂ）に示されるように、固定用突起１３ａと嵌合溝２３ｂとがかみ合った状態にする。このように車輪１３側の固定用突起１３ａと、ストッパー２３側の嵌合溝２３ｂがかみ合うことで、車輪１３は強固に固定され、使用時における車輪１３の回転を抑制することが可能となっている。
【００６１】
（変形例８）
図１７は、他の実施形態に係るバルーン型照明装置１の脚部１２ａの断面図である。バルーン型照明装置１は、屋外、屋内の様々な場所で使用されることが想定される。特に、屋外では、傾斜した地面、あるいは、段差のある場所に設置することも考えられる。図１１に示されるように使用されるバルーン５１は、ある程度高さを有する場合もあるため、傾斜、あるいは、段差を有する場所に設置した場合、バルーン５１が大きく傾くことも考えられる。そのため、脚部１２ａ（１２ｂ）には、高さ調整用部材を設けることが好ましい。図１７の例は、脚部１２ａに高さ調整用部材を設けたものである.高さ調整部材は、弾性部材１２２ａと高さ調整用ネジ１２２ｂを有して構成され、高さ調整用ネジ１２２ｂが、脚部本体１２１にネジ固定されている。弾性部材１２２ａを回転させることで、高さ調整用ネジ１２２ｂの嵌合度合いを変化させ、弾性部材１２２ａの位置を変更することが可能となっている。このように、脚部１２ａ（１２ｂ）に高さ調整部材を設けることで、傾斜、段差を有する場所であっても、筐体１１を水平に置し、バルーン５１を直立させることが可能となる。
【００６２】
（変形例９）
図１〜図５を使用して説明した実施形態では、筐体１１と支持部２は互いに固定されている形態としていた。このような形態に代え、支持部２は、筐体１１から脱着可能としてもよい。例えば、無風状態の屋内で使用する等、支持部２を使用してバルーン５１を固定する必要が無い場合、支持部２を取り外すことで、バルーン型照明装置１の外観を良好なものとすることが可能となる。また、支持部２と車輪１３が設けられた運搬部材と、筐体１１とを脱着可能とすることも考えられる。運搬時には、運搬部材に筐体１１を載せて、設置場所に運搬し、設置した状態で筐体１１から運搬部材を取り外すことで、容易な運搬、並びに、十分な筐体１１を安定した固定することが可能となる。
【００６３】
（変形例１０）
図１８は、他の実施形態に係るバルーン５１の装着を説明するための図である。図８、図９で説明したように、前述の実施形態では、線ファスナー４１ａ、５１ａ、面ファスナー４１ｂ、５１ｂを使用してバルーン５１を固定している。図１８（Ａ）は、他の実施形態に係る筐体１１の上部、及び、バルーン５１を示した模式図である。この例では、筐体１１の上部に固定溝１１ｆが設けられている。バルーン５１を固定する場合、筐体１１の上部にバルーン５１を被せ、固定溝１１ｆ部分をロープ５４で固定する。図１８（Ｂ）は、バルーン５１を固定した際の様子を示す模式図である。この図に示されるように、バルーン５１の下部は、ロープ５４によって固定溝１１内でしっかりと固定されている。このようにバルーン５１の固定は、各種形態を採用することができる。
【符号の説明】
【００６４】
１：バルーン型照明装置
２：支持部
１１：筐体
１１ａ：吸気部
１１ｂ：把持部
１１ｃ：車軸固定部
１１ｄ：排気部
１１ｅ：固定バンド
１１ｆ：固定溝
１２ａ：脚部
１２ｂ：脚部
１３：車輪
１５：車軸
１６：電源ケーブル接続コネクタ
１７：充電コネクタ
１８：表示部
１９：上カバー
１９ａ：ポケット
１９ｂ：収容空間
１９ｃ、１９ｄ：面ファスナー
２１：ハンドル
２１ａ：操作部
２２：伸縮部
２２ａ〜２２ｅ：（第１〜第５）支柱
３１：照明部
３１ａ：ＬＥＤ素子
３２：電源スイッチ
３３：切り替えスイッチ
３４：オプションコネクタ
３５：制御部
３６：バッテリー
３７：送風部
４１：内カバー
４１ａ：線ファスナー
４１ｂ：面ファスナー
４２：固定部
５１：バルーン
５１ａ：線ファスナー
５１ｂ：面ファスナー
５１ｄ：面ファスナー
５２：電源ケーブル
５２ａ：電源ケーブルコネクタ
５２ｂ：コンセント
５３：固定部
５４：ロープ
【図１】
0003229451.tif 000003
【図２】
0003229451.tif 000004
【図３】
0003229451.tif 000005
【図４】
0003229451.tif 000006
【図５】
0003229451.tif 000007
【図６】
0003229451.tif 000008
【図７】
0003229451.tif 000009
【図８】
0003229451.tif 000010
【図９】
0003229451.tif 000011
【図１０】
0003229451.tif 000012
【図１１】
0003229451.tif 000013
【図１２】
0003229451.tif 000014
【図１３】
0003229451.tif 000015
【図１４】
0003229451.tif 000016
【図１５】
0003229451.tif 000017
【図１６】
0003229451.tif 000018
【図１７】
0003229451.tif 000019
【図１８】
0003229451.tif 000020